(57)【要約】【課題】レール部材の仮保持性を向上し得る上枠を提供する。【解決手段】上枠２０は、下方開口の凹溝部４０が形成された上枠部材３０と、該上枠部材の凹溝部に嵌合され建具１０を案内する下方開口のレール部材２１と、を備え、前記上枠部材は、木質系基材３１の表面に化粧シート３９を貼着してなる帯状板材３０Ａの裏面に少なくとも前記化粧シートが残存するように長手方向に沿って形成した複数の折曲溝部３５，３７，３８の部位で該折曲溝部側を内側にして前記帯状板材を折り曲げることで、前記凹溝部と、該凹溝部の溝底４１の溝幅方向隅部に溝幅方向に向けて開口する係合凹部４２と、を形成した構造とされており、前記レール部材の幅方向上端角部には、該レール部材の幅方向外方に向けて突出し、前記係合凹部に引っ掛けられる凸片部２４が設けられている。【選択図】図１
2014177748.tif 000002
【特許請求の範囲】
【請求項１】
下方開口の凹溝部が形成された上枠部材と、該上枠部材の凹溝部に嵌合され建具を案内する下方開口のレール部材と、を備え、
前記上枠部材は、木質系基材の表面に化粧シートを貼着してなる帯状板材の裏面に少なくとも前記化粧シートが残存するように長手方向に沿って形成した複数の折曲溝部の部位で該折曲溝部側を内側にして前記帯状板材を折り曲げることで、前記凹溝部と、該凹溝部の溝底の溝幅方向隅部に溝幅方向に向けて開口する係合凹部と、を形成した構造とされており、
前記レール部材の幅方向上端角部には、該レール部材の幅方向外方に向けて突出し、前記係合凹部に引っ掛けられる凸片部が設けられていることを特徴とする上枠。
【請求項２】
請求項１において、
前記上枠部材は、前記凹溝部の溝底を構成する上側部とこの上側部の幅方向両側から垂れ下がる両外側部とこれら両外側部の下端から上側に折り返され、前記凹溝部の溝幅方向内側面を構成する両内側部とを有するように、かつこれら両内側部の少なくとも一方の上端と前記上側部との間に前記係合凹部が形成されるように、前記帯状板材に前記折曲溝部を設けて形成されていることを特徴とする上枠。
【請求項３】
請求項１または２において、
前記レール部材は、前記凸片部を幅方向の両角部に設けた構造とされており、
前記上枠部材は、前記係合凹部を前記凹溝部の溝幅方向両隅部に設けた構造とされていることを特徴とする上枠。
【請求項４】
請求項１乃至３のいずれか１項に記載の上枠と、該上枠のレール部材によって案内される建具と、を備えていることを特徴とする建具装置。
【発明の詳細な説明】
【技術分野】
【０００１】
本発明は、建具を案内するレール部材を備えた上枠及びこれを備えた建具装置に関する。
【背景技術】
【０００２】
従来より、折戸や引戸等の建具が建て付けられる戸枠の上枠には、建具を案内する上レールが設けられている。このような上レールは、建物の壁部に開設された開口部に固定された開口枠の上枠材に対して固定される。しかしながら、上レールを上枠材に固定する際には、比較的に長尺な上レールを下方側から作業者が保持した状態で、その長手方向に間隔を空けてねじ等の止具によって複数箇所を固定する必要があり、改善が望まれていた。
例えば、下記特許文献１では、上枠に設けられた凹溝に下向き開口の上レールを挿入し固定する構造とされた建具用走行装置が提案されている。この建具用走行装置では、上レールの両側壁外面を開口側が広くなる傾斜面とし、上レールの両側壁外面を凹溝の両側壁内面に押圧させることで上レールを上枠に仮保持可能な構造としている。
【先行技術文献】
【特許文献】
【０００３】
【特許文献１】特開２００２−２４２５１９号公報
【発明の概要】
【発明が解決しようとする課題】
【０００４】
しかしながら、上記特許文献１に記載された建具用走行装置では、上枠の凹溝の両側壁内面と上レールの両側壁外面との摩擦抵抗力によって上レールを上枠の凹溝に仮保持させる構造としている。そのため、仮保持状態の安定性の観点から更なる改善が望まれる。
【０００５】
本発明は、上記実情に鑑みてなされたものであり、レール部材の仮保持性を向上し得る上枠及びこれを備えた建具装置を提供することを目的としている。
【課題を解決するための手段】
【０００６】
上記目的を達成するために、本発明に係る上枠は、下方開口の凹溝部が形成された上枠部材と、該上枠部材の凹溝部に嵌合され建具を案内する下方開口のレール部材と、を備え、前記上枠部材は、木質系基材の表面に化粧シートを貼着してなる帯状板材の裏面に少なくとも前記化粧シートが残存するように長手方向に沿って形成した複数の折曲溝部の部位で該折曲溝部側を内側にして前記帯状板材を折り曲げることで、前記凹溝部と、該凹溝部の溝底の溝幅方向隅部に溝幅方向に向けて開口する係合凹部と、を形成した構造とされており、前記レール部材の幅方向上端角部には、該レール部材の幅方向外方に向けて突出し、前記係合凹部に引っ掛けられる凸片部が設けられていることを特徴とする。
【０００７】
本発明においては、前記上枠部材は、前記凹溝部の溝底を構成する上側部とこの上側部の幅方向両側から垂れ下がる両外側部とこれら両外側部の下端から上側に折り返され、前記凹溝部の溝幅方向内側面を構成する両内側部とを有するように、かつこれら両内側部の少なくとも一方の上端と前記上側部との間に前記係合凹部が形成されるように、前記帯状板材に前記折曲溝部を設けて形成されていてもよい。
また、本発明においては、前記レール部材は、前記凸片部を幅方向の両角部に設けた構造とされており、前記上枠部材は、前記係合凹部を前記凹溝部の溝幅方向両隅部に設けた構造とされていてもよい。
【０００８】
また、上記目的を達成するために、本発明に係る建具装置は、本発明に係る上枠と、該上枠のレール部材によって案内される建具と、を備えていることを特徴とする。
【発明の効果】
【０００９】
本発明に係る上枠及びこれを備えた建具装置は、上述のような構成としたことで、レール部材の仮保持性を向上させることができる。
【図面の簡単な説明】
【００１０】
【図１】本発明の一実施形態に係る上枠及びこれを備えた建具装置の一例を模式的に示し、図４のＸ−Ｘ線矢視に対応させた一部破断概略縦断面図である。
【図２】（ａ）は、同上枠が備える上枠部材の一例を模式的に示す概略縦断面図、（ｂ）は、同上枠が備えるレール部材の一例を模式的に示す概略縦断面図、（ｃ）は、同上枠部材の概略展開縦断面図である。
【図３】（ａ）、（ｂ）は、いずれも、同上枠の施工手順の一例を模式的に示す図１に対応させた一部破断概略縦断面図である。
【図４】同上枠及び同建具装置が施工された状態を模式的に示す概略正面図である。
【発明を実施するための形態】
【００１１】
以下に本発明の実施の形態について、図面に基づいて説明する。
図１〜図４は、本実施形態に係る上枠及びこれを備えた建具装置の一例を模式的に示す図である。
なお、一部の図では、他図に付している詳細な符号の一部を省略している。
【００１２】
本実施形態に係る上枠２０は、図１及び図３に示すように、下方開口の凹溝部４０が形成された上枠部材３０と、この上枠部材３０の凹溝部４０に嵌合され建具１０を案内する下方開口のレール部材２１と、を備えている。
本実施形態に係る建具装置１は、図１及び図４に示すように、この上枠２０と、上枠２０のレール部材２１によって案内される建具１０と、を備えている。本実施形態では、建具装置１は、住居等の建物の内壁に設けられた開口部７に配設される上枠２０を含む戸枠２を備えている。建具１０は、この戸枠２に建て付けられる。
また、本実施形態では、建具１０を折戸１０とし、建具装置１を、二組の折戸１０，１０を備えたものとしている。
【００１３】
また、本実施形態では、上枠２０を含む建具装置１は、図１に示すように、収納室（クローゼット）Ａと、この収納室Ａ外の室内空間や廊下等の反収納室側空間Ｂと、を区画する内壁に設けられた開口部７に配設されるものとしている。
以下では、建具装置１を施工した状態で、反収納室側空間Ｂから建具装置１に対面した状態を基準として、手前側（反収納室側空間Ｂ側）を前方、その逆側（収納室Ａ側）を後方とし、その方向等を原則的に説明する。
【００１４】
開口部７は、正面視して略矩形状とされており、その上側が、横桟やまぐさ等の横架材または該横架材の下面側に固定された飼木（スペーサー材）等からなる上枠下地によって区画されている。また、開口部７は、その開口幅（戸幅）方向両側が、間柱等の柱材または該柱材の開口幅方向内側に固定された飼木（スペーサー材）等からなる左右両側の縦枠下地によって区画されている。また、図例では、開口部７の下側を、床によって区画した例を示している（図４参照）。
【００１５】
戸枠２は、図４に示すように、本実施形態に係る上枠２０の長手方向両側に配設される両側の縦枠３，３と下枠４とをさらに備えている。この戸枠２は、折戸１０，１０によって開閉される出入口９を区画形成する構成とされている。
上枠２０は、開口部７の開口幅方向に沿って長尺状とされている。
なお、上枠２０の詳細については後述する。
両側の縦枠３，３は、互いに略同様の構成とされている。これら両側の縦枠３，３は、開口部７の開口高に応じた長さ寸法とされ、帯板状とされている。これら両側の縦枠３，３の前端部の長手方向略全体には、互いに向き合うように突出し、閉鎖状態とされた各折戸１０，１０の縦枠３，３側の端部を納める突出片部が設けられている。
下枠４は、開口部７の開口幅方向に沿って長尺状とされている。
下枠４には、上方開口の凹溝部５が設けられている。この下枠４の凹溝部５には、各折戸１０，１０の下端側をガイドする上方開口のガイド溝を全長に亘って設けた下レール６が嵌め込まれている。
【００１６】
なお、開口枠を構成する一対の縦枠３，３及び下枠４は、合板やＬＶＬ等の木質積層板や、パーティクルボード等の木質ボード、インシュレーションボードやＭＤＦ（中密度繊維板）等の木質繊維板などの木質系材料から形成されたものとしてもよい。または、合成樹脂系材料や金属系材料等から形成されたものとしてもよい。
【００１７】
各折戸１０，１０は、互いに略同様の構成とされている。この折戸１０は、図４に示すように、二枚の戸板１１，１２の連結側端部同士を、羽根蝶番等の蝶番によって折り畳み自在に連結した構成とされている。
これら戸板１１，１２の反連結側端部の上端には、レール部材２１にスライド自在に支持されるランナー部材１３，１３がそれぞれ設けられている。
このランナー部材１３は、図１及び図３に示すように、後記するレール部材２１の案内片２５，２５に沿って転動自在に支持されるローラー１５を備えている。本実施形態では、ランナー部材１３を、各戸板１１，１２の厚さ方向に間隔を空けて２つのローラー１５，１５を備えたものとしている。これらローラー１５，１５は、互いに同軸状とされた略水平軸廻りに回動自在とされている。
また、各ランナー部材１３，１３は、各戸板１１，１２の上端部に設けられたカップ部に連結固定される取付固定部１４，１４を備えており、各戸板１１，１２の上端部の反連結側端部に固定される。これらランナー部材１３，１３は、各戸板１１，１２に対して略垂直軸廻りに回動自在に連結される。
【００１８】
また、本実施形態では、各戸板１１，１２の反連結側端部の下端に、下レール６にガイドされる下部ランナー１６，１６を設けている。
これら下部ランナー１６，１６は、各戸板１１，１２の下端面に下方側に向けて突出するように設けられた軸部と、この軸部の先端に設けられ下レール６のガイド溝に挿入されるガイド部とを備えている。
各下部ランナー１６，１６は、各戸板１１，１２に対して回動自在に連結されたランナー部材１３，１３の略垂直軸と略同軸状に設けられている。
【００１９】
なお、閉鎖状態における各折戸１０，１０の縦枠３，３側にそれぞれ近接する側の各戸板１２，１２の各ランナー部材１３，１３を、それぞれが近接する側の縦枠３，３近傍においてスライド不能とするストッパー等をレール部材２１等に設けるようにしてもよい。また、各戸板１２，１２の各下部ランナー１６，１６を、それぞれが近接する側の縦枠３，３近傍においてスライド不能とする軸受部等を下レール６等に設けるようにしてもよい。このように、各戸板１２，１２の反連結側端部側を、スライド不能とする場合には、ランナー部材１３や下部ランナー１６に代えて、適宜の回動軸を設け、この回動軸を回動自在に保持する軸受部を、レール部材２１や下レール６に設けるようにしてもよい。
【００２０】
上枠２０のレール部材２１と上枠部材３０とは、略同長さ寸法とされている。
レール部材２１は、図１及び図２（ｂ）に示すように、上板部２２と、この上板部２２の幅方向両側縁から垂れ下がるように連成された両側壁部２３，２３と、を備えている。このレール部材２１は、これら上板部２２及び両側壁部２３，２３によって縦断面形状が、下方に向けて開口する略コ字状（略Ｕ字状または略Ｃ字状）とされ、その長手方向両端部は、長手方向外方側に向けて開口している。また、両側壁部２３，２３の下縁部には、当該レール部材２１の幅方向内方側に向けて突出する案内片２５，２５が当該レール部材２１の全長に亘ってそれぞれに設けられている。
また、本実施形態では、両側壁部２３，２３の下縁部に、当該レール部材２１の幅方向外方側に向けて突出する突出片部２６，２６を当該レール部材２１の全長に亘ってそれぞれに設けている。
【００２１】
このレール部材２１のガイド溝となる内方空間に、上記した折戸１０のランナー部材１３，１３のローラー１５，１５がそれぞれ長手方向端部の上記開口から挿入され、収容される。また、このレール部材２１の案内片２５，２５に、ランナー部材１３，１３のローラー１５，１５がそれぞれ当該レール部材２１の長手方向に沿って転動自在に支持される。このような構成によって、折戸１０は、レール部材２１に吊下支持される上吊り構造とされている。
【００２２】
また、レール部材２１の幅方向上端角部には、レール部材２１の幅方向外方に向けて突出する凸片部２４が設けられている。
本実施形態では、レール部材２１は、幅方向の両角部に凸片部２４，２４を設けた構造とされている。つまり、レール部材２１の上板部２２と両側壁部２３，２３とのそれぞれの角部に、これら凸片部２４，２４を設けた構造とされている。
【００２３】
これら凸片部２４，２４は、レール部材２１の全長に亘ってそれぞれ設けられている。
また、これら凸片部２４，２４は、それぞれの上面がレール部材２１の上板部２２の上面と連なるように略同一平面状とされている。また、これら凸片部２４，２４は、それぞれの下面がそれぞれの上面と略平行状とされ、その突出方向先端面がそれぞれの上下面に略直交状とされている。つまり、凸片部２４，２４は、縦断面視して略矩形状とされている。図例では、凸片部２４，２４を、レール部材２１の幅方向（凸片部２４，２４の突出方向）に長尺な略矩形状としている。また、これら凸片部２４，２４の上下寸法は、本実施形態では、レール部材２１の上板部２２の上下寸法よりも大きい寸法とされている。また、図例では、これら凸片部２４，２４の上下寸法を互いに略同寸法とし、これら凸片部２４，２４の突出寸法を互いに略同寸法とした例を示している。
【００２４】
また、本実施形態では、図２（ｂ）に示すように、レール部材２１の両側壁部２３，２３の外側面を、それぞれレール部材２１の下端側から上端側に向かうに従い幅方向中央側に向けて傾斜する傾斜面としている。本実施形態では、これら両側壁部２３，２３自体を、当該レール部材２１の上板部２２から離れるに従い拡開する形状とすることで、これらの外側面を、上記傾斜面としている。
【００２５】
また、図例では、上板部２２の幅方向中央に、ねじ等の止具８の下穴を設けた例を示している。このような下穴を上板部２２の長手方向に適宜の間隔を空けて設けるようにしてもよい。なお、このような下穴に代えて、上板部２２の下面の幅方向中央に、下方に向けて開口し、ねじ等の止具８の誘いとなる細凹溝を設けるようにしてもよい。
また、このレール部材２１は、アルミニウムやステンレス、炭素鋼等の適宜の金属材料または硬質の合成樹脂系材料から押出成形や鋳造成形、切削加工等によって上記のような形状に一体的に成形されたものとしてもよい。
また、凸片部２４は、レール部材２１の長手方向に沿って適宜の間隔を空けて複数設けるようにしてもよい。
【００２６】
上枠部材３０は、図２（ａ）及び（ｃ）に示すように、木質系基材３１の表面に化粧シート３９を貼着してなる帯状板材３０Ａの裏面に形成した複数の折曲溝部３５，３７，３８の部位でこれら折曲溝部３５，３７，３８側を内側にして折り曲げられて形成されている。また、上枠部材３０は、これら折曲溝部３５，３７，３８の部位で帯状板材３０Ａを折り曲げることで、凹溝部４０と、凹溝部４０の溝底４１の溝幅方向隅部に溝幅方向に向けて開口する係合凹部４２と、を形成した構造とされている。
本実施形態では、上枠部材３０は、凹溝部４０の溝底４１を構成する上側部３２とこの上側部３２の幅方向両側から垂れ下がる両外側部３３，３３とを有している。また、上枠部材３０は、これら両外側部３３，３３の下端から上側に折り返され、凹溝部４０の溝幅方向内側面となる両溝側面４３，４３を構成する両内側部３４，３４を有している。また、上枠部材３０は、これら上側部３２、両外側部３３，３３及び両内側部３４，３４を有するように、かつこれら両内側部３４，３４の少なくとも一方の上端３４ａと上側部３２との間に係合凹部４２が形成されるように、帯状板材３０Ａに折曲溝部３５，３５，３７，３７，３８，３８を設けて形成されている。
【００２７】
上枠部材３０の凹溝部４０は、上枠部材３０の全長に亘って設けられている。この凹溝部４０は、上枠部材３０の幅方向略中央に設けられている。また、この凹溝部４０は、下向きの水平面状の溝底４１と、この溝底４１に略直交状とされ互いに略平行状の両側の溝側面４３，４３とによって区画形成されている。
この凹溝部４０の溝底４１に、レール部材２１の上板部２２が当接され、この凹溝部４０の両溝側面４３，４３に、レール部材２１の対応する両側壁部２３，２３がそれぞれ当接または近接される。
この上枠部材３０は、凹溝部４０の上方側部位を含み、その前後の上枠部材３０の凹溝部４０よりも幅方向一方側の部位（前側部）及び凹溝部４０よりも幅方向他方側の部位（後側部）の上面が全面に亘って同一平面状とされている。
また、本実施形態では、上枠部材３０の前側部及び後側部によって、レール部材２１の両側壁部２３，２３を略覆う構造としている。つまり、上枠部材３０の凹溝部４０の上下寸法（溝深さ寸法）を、レール部材２１の上下寸法に概ね応じた寸法としている。このような構成により、レール部材２１を目立ち難くさせることができ、反収納室側空間Ｂ側及び収納室Ａ側における上枠２０の見栄えを損なうことがない。
また、本実施形態では、上枠部材３０を、図１に示すように、固定された状態で、前端部が内壁の壁面よりも前方側に突出するように配設される固定枠状としている。
【００２８】
上枠部材３０の係合凹部４２は、図１及び図２（ａ）に示すように、凹溝部４０の溝底４１の溝幅方向隅部の長手方向に沿って形成されている。
本実施形態では、上枠部材３０は、図２（ａ）及び（ｂ）に示すように、レール部材２１の幅方向両角部に設けた凸片部２４，２４が引っ掛けられる係合凹部４２，４２を、凹溝部４０の溝幅方向両隅部にそれぞれ設けた構造とされている。つまり、本実施形態では、両内側部３４，３４のそれぞれの上端３４ａ，３４ａと上側部３２との間に係合凹部４２，４２を設けた構成としている。
これら係合凹部４２，４２は、上枠部材３０の全長に亘ってそれぞれ設けられている。
また、これら係合凹部４２，４２は、凹溝部４０の溝底４１に連なる天面と、凹溝部４０の溝中心に向く側面と、凹溝部４０の溝底４１に向く底面（両内側部３４，３４の各上端３４ａ，３４ａ）とによってそれぞれ区画形成されている。また、これら係合凹部４２，４２は、縦断面視矩形状とされており、上枠部材３０の幅方向に沿う寸法及び上下寸法が互いに略同寸法とされている。
これら係合凹部４２，４２は、上記したレール部材２１の幅方向の両角部に設けた凸片部２４，２４がそれぞれ引っ掛け可能なように形成されている。
【００２９】
また、本実施形態では、図２（ａ）及び（ｂ）に示すように、凹溝部４０の溝幅寸法ｗ（両溝側面４３，４３間の寸法）を、レール部材２１の両凸片部２４，２４の突出方向先端面間のレール部材２１の幅方向に沿う寸法ｗ１よりも僅かに小さい寸法としている。
このような構成により、上枠２０は、レール部材２１を上枠部材３０に仮保持可能な構成としている。つまり、レール部材２１の幅方向一方側に設けた凸片部２４を上枠部材３０の対応する係合凹部４２に引っ掛け、レール部材２１の幅方向他方側に設けた凸片部２４を上枠部材３０の対応する係合凹部４２に引っ掛けることで、レール部材２１を上枠部材３０に仮保持可能な構成としている。
【００３０】
この上枠部材３０を形成する帯状板材３０Ａは、図２（ｃ）に示すように、薄平板状とされ、上枠部材３０の長さに応じた長さ寸法とされている。
この帯状板材３０Ａは、木質系基材３１の厚さ方向一方側面の略全面に、化粧シート３９を貼着した構造とされている。また、帯状板材３０Ａは、その厚さ方向他方側面（裏面）に、少なくとも化粧シート３９が残存するように、長手方向に沿って複数の折曲溝部３５，３５，３７，３７，３８，３８を形成した構成とされている。
また、帯状板材３０Ａは、折曲溝部３５，３５，３７，３７，３８，３８を除いて、全体に亘って略均一な厚さ寸法とされている。
【００３１】
化粧シート３９としては、シート状やフィルム状のものとしてもよく、例えば、突板や合成樹脂シート等を採用するようにしてもよい。
木質系基材３１としては、合板やＬＶＬ等の木質積層板や、パーティクルボード等の木質ボード、インシュレーションボードやＭＤＦ（中密度繊維板）等の木質繊維板などの木質系材料から形成されたものとしてもよい。
【００３２】
上側部３２は、上枠部材３０の上面を構成し、帯状板材３０Ａの幅方向略中央に設けられている。
この上側部３２の幅寸法は、上枠部材３０が形成された状態で、凹溝部４０の溝幅寸法が確保されるように、両外側部３３，３３及び両内側部３４，３４の厚さを考慮して設定されている。
この上側部３２の幅方向両側に設けられた両外側部３３，３３は、上枠部材３０の幅方向両外側面を構成する。これら両外側部３３，３３は、互いに略同幅寸法（上枠部材３０が形成された状態における上下寸法）とされている。また、これら両外側部３３，３３の幅寸法は、上枠部材３０が形成された状態で、凹溝部４０の溝深さ寸法が確保されるように、上側部３２の厚さを考慮して設定されている。これら両外側部３３，３３の幅寸法は、上枠部材３０が形成された状態における上枠部材３０の上下寸法となる。
【００３３】
また、上側部３２とこれら両外側部３３，３３との境界部には、第１折曲溝部３５，３５がそれぞれ設けられている。
これら第１折曲溝部３５，３５は、両外側部３３，３３を上側部３２に対して折り曲げた状態で、両外側部３３，３３と上側部３２とがそれぞれ略直交状となるように形成されている。
本実施形態では、これら第１折曲溝部３５，３５を、両外側部３３，３３を上側部３２に対して折り曲げた状態で、両外側部３３，３３のそれぞれの表面（外側面）と上側部３２の表面（上面）とが略直角状に交差するように、単一（１本）の溝によって構成している。つまり、これら第１折曲溝部３５，３５を、底角を略直角とした縦断面視して略Ｖ字状の溝としている。
これら第１折曲溝部３５，３５は、両外側部３３，３３を、これら第１折曲溝部３５，３５の部位で上側部３２に対して折り曲げた状態では、各第１折曲溝部３５，３５のそれぞれを区画する両溝壁同士が当接される。
なお、第１折曲溝部３５，３５としては、上記のような態様に限られない。例えば、第１折曲溝部３５，３５を、両外側部３３，３３を上側部３２に対して折り曲げた状態で、上側部３２と両外側部３３，３３とのそれぞれの角部の表面側がＲ面取り形状やＣ面取り形状等の面取り形状となるように、複数本の溝によって構成されたものとしてもよい。
【００３４】
両外側部３３，３３の帯状板材３０Ａの幅方向外方側には、上枠部材３０が形成された状態において両外側部３３，３３の凹溝部４０側に配設される内側部３４，３４がそれぞれに設けられている。
これら両内側部３４，３４は、互いに略同幅寸法（上枠部材３０が形成された状態における上下寸法）とされている。また、上枠部材３０が形成された状態におけるこれら両内側部３４，３４の上端３４ａ，３４ａが帯状板材３０Ａの幅方向両端面となる。また、これら両内側部３４，３４の幅寸法は、上枠部材３０が形成された状態で、それぞれの上端３４ａ，３４ａと上側部３２との間に係合凹部４２，４２が形成されるように、両外側部３３，３３の幅寸法よりも小さい寸法とされている。
【００３５】
これら内側部３４，３４と、これらにそれぞれ隣接する各外側部３３，３３との境界部には、折返部３６，３７，３８，３６，３７，３８がそれぞれに設けられている。
これら両側の折返部３６，３７，３８，３６，３７，３８は、互いに略同様の構成とされており、各内側部３４，３４を、隣り合うそれぞれの外側部３３，３３に対して略平行状に折り返し可能なように形成されている。また、本実施形態では、これら両側の折返部３６，３７，３８，３６，３７，３８を、各内側部３４，３４を、それぞれ外側部３３，３３に対して折り返した状態で、各内側部３４，３４の裏面（反凹溝部側面）と各外側部３３，３３の裏面（凹溝部側面）とが当接するように形成している。
本実施形態では、折返部３６，３７，３８を、上枠部材３０の下面（前側部及び後側部の下面）を構成する連結部３６と、この連結部３６の幅方向両側に設けられた第２折曲溝部３７及び第３折曲溝部３８と、によって構成している。
【００３６】
外側部３３と連結部３６との境界部に設けられた第２折曲溝部３７は、上記した第１折曲溝部３５と略同様、連結部３６を外側部３３に対して折り曲げた状態で、連結部３６と外側部３３とが略直交状となるように形成されている。また、第２折曲溝部３７を、連結部３６を外側部３３に対して折り曲げた状態で、連結部３６の表面（下面）と外側部３３の外側面とが略直角状に交差するように、単一（１本）の溝によって構成している。
連結部３６と内側部３４との境界部に設けられた第３折曲溝部３８は、上記した各折曲溝部３５，３７と略同様、内側部３４を連結部３６に対して折り曲げた状態で、内側部３４と連結部３６とが略直交状となるように形成されている。また、第３折曲溝部３８を、内側部３４を連結部３６に対して折り曲げた状態で、内側部３４の表面（内側面、溝側面）４３と連結部３６の下面とが略直角状に交差するように、単一（１本）の溝によって構成している。
【００３７】
これら第２折曲溝部３７及び第３折曲溝部３８は、上記第１折曲溝部３５と略同様、内側部３４を外側部３３に対して折り返した状態では、各折曲溝部３７，３８のそれぞれを区画する両溝壁同士が当接される。
連結部３６は、内側部３４を外側部３３に対して折り返した状態で内側部３４の反凹溝部側面と外側部３３の凹溝部側面とが当接するように、上記のような構成とされた第２折曲溝部３７及び第３折曲溝部３８に対応させて、縦断面視して略直角二等辺三角形状とされている。
【００３８】
なお、折返部３６，３７，３８としては、上記のような態様に限られない。例えば、上記した第１折曲溝部３５と略同様、第２折曲溝部３７及び第３折曲溝部３８の両方または一方を、内側部３４を外側部３３に対して折り返した状態で、表面側の角部がＲ面取り形状やＣ面取り形状等の面取り形状となるように、複数本の溝によって構成されたものとしてもよい。また、折返部３６，３７，３８自体を、複数本の溝によって構成し、折曲溝部として把握するようにしてもよい。
【００３９】
上記構成とされた帯状板材３０Ａを、各折曲溝部３５，３５，３７，３７，３８，３８の部位で折り曲げ、上枠部材３０が形成される。
このように上枠部材３０を形成した状態では、図２（ａ）に示すように、上側部３２、両外側部３３，３３、両連結部３６，３６及び両内側部３４，３４のそれぞれの表面の全体が、一連状に貼着された化粧シート３９の表面によって構成される。
なお、各折曲溝部３５，３５，３７，３７，３８，３８のそれぞれの溝壁や、両外側部３３，３３と両内側部３４，３４との当接部に、適宜接着剤等を塗布して各部位を固定するようにしてもよい。
また、各折曲溝部３５，３５，３７，３７，３８，３８は、切削等によって形成するようにしてもよい。
【００４０】
次に、上記構成とされた建具装置１の施工手順の一例について説明する。
まず、開口部７に、枠組みされた戸枠２を固定する。この際、例えば、上枠部材３０及び下枠４のそれぞれの長手方向の各端面に、各縦枠３，３の上端部内側面を当接させ、各縦枠３，３の外側面側からねじや釘等の止具を上枠部材３０及び下枠４にねじ込む（または打ち込む）ことで枠組みするようにしてもよい。なお、この上枠部材３０は、レール部材２１を固定していない状態の上枠部材３０である。
【００４１】
また、図３（ａ）に示すように、上枠２０のレール部材２１に、折戸１０に非連結状態とされたランナー部材１３のローラー１５を収容保持させる。この状態で、レール部材２１を、両凸片部２４，２４を上枠部材３０の対応する係合凹部４２，４２にそれぞれ引っ掛け、上枠部材３０に仮保持させる（図３（ｂ）も参照）。
この際、レール部材２１を、図３（ａ）に示すように、長手方向軸廻りに回動させるようにして、幅方向一方側の凸片部２４側を上方側にするように斜め状にし、この凸片部２４を上枠部材３０の対応する係合凹部４２に引っ掛けるようにしてもよい。また、この際、この凸片部２４が設けられた側のレール部材２１の側壁部２３の弾性変形を伴い、この凸片部２４を上枠部材３０の対応する係合凹部４２に引っ掛けるようにしてもよい。次いで、レール部材２１を、図３（ｂ）に示すように、略水平状となるように長手方向軸廻りに上記とは逆方向に回動させ、他方側の凸片部２４を上枠部材３０の対応する係合凹部４２に引っ掛けて、レール部材２１を上枠部材３０に仮保持させるようにしてもよい。つまり、レール部材２１の各凸片部２４，２４を順次、上枠部材３０の対応する係合凹部４２，４２にそれぞれ引っ掛けて、レール部材２１を、いわゆるけんどん式状に上枠部材３０に仮保持させるようにしてもよい。
【００４２】
次いで、図１に示すように、レール部材２１の上板部２２を、ねじ等の止具８によって上枠部材３０に固定する。
また、必要に応じて、下枠４に下レール６を固定する。
また、レール部材２１に収容保持されたランナー部材１３，１３に、折戸１０の各戸板１１，１２の上端部をそれぞれ連結する。この際、折戸１０の各戸板１１，１２の下端に固定された下部ランナー１６，１６を、下レール６に係合させた状態で行うようにしてもよい。このような手順により、折戸１０を戸枠２に対して建て付けるようにしてもよい。
なお、上記施工手順は一例であり、各部材、各部の機能を阻害しない限りにおいて、別手順でなされるようにしてもよい。
【００４３】
本実施形態に係る上枠２０は、上述のような構成としたことで、レール部材２１の仮保持性を向上させることができる。
つまり、上枠部材３０の凹溝部４０の溝底４１の溝幅方向隅部に係合凹部４２を形成し、この係合凹部４２に引っ掛けられる凸片部２４をレール部材２１の幅方向上端角部に設けている。従って、レール部材２１の凸片部２４を上枠部材３０の係合凹部４２に引っ掛けて、レール部材２１を上枠部材３０に仮保持させた状態で、レール部材２１を上枠部材３０にねじ等の止具８によって固定することができるので、施工性を向上させることができる。また、レール部材２１の凸片部２４を上枠部材３０の係合凹部４２に引っ掛けることができるので、上枠２０の凹溝の両側壁内面と上レールの両側壁外面との摩擦抵抗力によって上レールを上枠の凹溝に仮保持させるようなものと比べて、レール部材２１の仮保持性を向上させることができる。
【００４４】
また、上枠部材３０を、木質系基材３１の表面に化粧シート３９を貼着してなる帯状板材３０Ａの裏面に少なくとも化粧シート３９が残存するように長手方向に沿って形成した複数本の折曲溝部３５，３７，３８の部位で折曲溝部３５，３７，３８側を内側にして帯状板材３０Ａを折り曲げることで、凹溝部４０及び係合凹部４２を形成した構造としている。例えば、木質系基材の四周外表面に化粧シートが貼着された部材に切削加工等によって凹溝部を形成した場合には、凹溝部の開口縁において化粧シートに切削跡等が生じることも考えられる。本実施形態によれば、表面側に一連に化粧シート３９が貼着された帯状板材３０Ａを折り曲げて凹溝部４０を形成しているので、このような凹溝部４０の開口縁における切削跡等が生じることがなく見栄えを向上させることができる。また、比較的に大きな凹溝部４０や係合凹部４２を切削加工等によって形成するものと比べて、廃棄材料の発生を低減させることができ、効率的に上枠部材３０を形成することができる。
【００４５】
また、本実施形態では、上枠部材３０を、上側部３２と両外側部３３，３３と両内側部３４，３４とを有するように、かつ凹溝部４０の溝幅方向内側面を構成する両溝側面３４，３４の少なくとも一方の上端３４ａと上側部３２との間に係合凹部４２が形成されるように、帯状板材に折曲溝部３５，３７，３８を設けて形成された構造としている。例えば、両内側部３４，３４を設けずに、両方または一方の外側部３３（３３）から幅方向内側に向けて突出させるように折り曲げた下片部によって係合凹部４２の底面を構成することも考えられるが、その場合には、下片部の端面（木口）が凹溝部４０の溝側面を構成することとなる。一方、上記構成とすれば、両内側部３４，３４の凹溝部側となる凹溝部４０の溝側面４３が化粧シート３９によって構成される。従って、上記のような下片部によって係合凹部４２の底面を構成したものと比べて、レール部材２１の幅方向側部と凹溝部４０の溝側面４３との間に隙間が生じたような場合にも、木質系基材３１が露出するようなことがなく、見栄えを向上させることができる。
【００４６】
また、本実施形態では、各内側部３４，３４を、それぞれ外側部３３，３３に対して折り返した状態で、各内側部３４，３４の反凹溝部側面と各外側部３３，３３の凹溝部側面とが当接する構成としている。上記のような下片部によって係合凹部４２の底面を構成した場合には、外側部３３（３３）と下片部とをこれらの折曲溝部位で固定することとなる。一方、上記構成とすれば、それぞれに略垂直面とされた各外側部３３，３３の凹溝部側面と各内側部３４，３４の反凹溝部側面とを当接させて接着等によって固定することができる。従って、上記のような下片部を設けたものと比べて、凹溝部４０の溝側面４３及び係合凹部４２を構成する部位と両外側部３３，３３との固定性を向上させることができ、上枠部材３０の形状保持性を向上させることができる。
なお、このような態様に代えて、各内側部３４，３４を、それぞれ外側部３３，３３に対して折り返した状態で、各内側部３４，３４の反凹溝部側面と各外側部３３，３３の凹溝部側面とが当接しない構成としてもよい。さらには、上枠部材３０に両内側部３４，３４を設けずに、両方または一方の外側部３３（３３）から幅方向内側に向けて突出させるように折り曲げた下片部によって係合凹部４２の底面を構成した構造としてもよい。
【００４７】
また、本実施形態では、凸片部２４，２４をレール部材２１の幅方向の両角部に設け、これら凸片部２４，２４が引っ掛けられる係合凹部４２，４２を上枠部材３０の凹溝部４０の溝幅方向両隅部に設けている。従って、レール部材２１の幅方向両側の凸片部２４，２４を、上枠部材３０の凹溝部４０の溝幅方向両隅部の係合凹部４２，４２にそれぞれ引っ掛けることができ、レール部材２１の仮保持性をより効果的に向上させることができる。
【００４８】
また、本実施形態に係る建具装置１は、上記した上枠２０を備えているので、建具装置１全体としての施工性を向上させることができる。
【００４９】
なお、本実施形態では、レール部材２１の幅方向両角部に凸片部２４，２４を設け、これら凸片部２４，２４を上枠部材３０の凹溝部４０の溝幅方向両隅部に設けた係合凹部４２，４２にそれぞれ引っ掛けて、レール部材２１を上枠部材３０に仮保持可能な構成とした例を示しているが、この態様に限定されない。レール部材２１の幅方向一方側にのみ設けた凸片部２４を上枠部材３０の対応する係合凹部４２に引っ掛け、レール部材２１の幅方向他方側の外側面を、上枠部材３０の凹溝部４０の対応する溝側面４３に押圧させることで、レール部材２１を上枠部材３０に仮保持可能な構成としてもよい。この場合、上枠部材３０の幅方向他方側の内側部３４の上端３４ａを、上側部３２（凹溝部４０の溝底４１）に当接させるように、この内側部３４の幅寸法を、幅方向一方側の内側部３４の幅寸法よりも大きくしてもよい。
【００５０】
また、本実施形態では、上枠部材３０の幅方向一方側部（前側部）及び幅方向他方側部（後側部）によって、レール部材２１の両側壁部２３，２３を略覆う構造とした例を示しているが、このような態様に限られない。例えば、上枠部材３０の少なくとも係合凹部４２が設けられた側となる幅方向一方側部の上下寸法を、レール部材２１の一方側の側壁部２３の下方側部位が露出するように、幅方向他方側部の上下寸法よりも小さくするようにしてもよい。これにより、レール部材２１を、上枠部材２１の係合凹部４２へ引っ掛ける凸片部２４側を上方側にするように斜め状にして上枠部材３０の凹溝部４０に挿入する際に、この凸片部２４が設けられた側の側壁部２３の下側部位と上枠部材３０（幅方向一方側部）との干渉を抑制することができ、挿入性を向上させることができる。
または、このような態様に代えて、レール部材２１の両側壁部２３，２３の下方側部位が露出するように、上枠部材３０の幅方向両側部の上下寸法を設定するようにしてもよい。
これらの場合には、上枠部材３０の各外側部３３，３３や各内側部３４，３４の上下寸法（展開状態における幅寸法）を、適宜、変形するようにすればよい。
【００５１】
また、本実施形態では、上枠部材３０を固定枠状とした例を示しているが、この態様に限定されない。上枠部材３０としては、ケーシング額縁を備えたいわゆるケーシング枠状のものとしてもよい。または、上枠部材３０を、固定した状態でその前端面と内壁の壁面とが略面一となるように配設されるものとしてもよい。この場合は、内壁の壁面と上枠部材３０の前端面とに一連状に壁クロス等の表面仕上材を貼着するようにしてもよい。
【００５２】
また、本実施形態では、下レール６を、下枠４の凹溝部５に嵌め込んだ例を示しているが、この態様に限定されず、例えば、床等に直接的に埋め込まれるものとしてもよい。または、このような下レール６を設けない態様としてもよく、この場合は、折戸１０の下端部に下部ランナー１６を設けないようにしてもよい。
また、折戸１０の上端部に設けられるランナー部材１３としては、上記したような態様に限られず、略垂直軸廻りに回動するローラーを備えたもの等、種々の態様とされたものとしてもよい。
また、本実施形態では、レール部材２１に案内される建具１０として折戸１０を例示しているが、このような態様に限られない。建具１０としては、折戸１０に限られず、例えば、引戸や、間仕切壁等を建具としてもよい。この場合は、建具装置１の納め態様（袖壁納めや戸袋納め等）に応じて、上枠部材３０等の形状を適宜変形するようにしてもよい。また、引き違い状に配設される複数枚の建具１０を備えたようなものでは、レール部材２１にこれら建具１０をガイドする複数のガイド溝を設けるようにしてもよい。
また、本実施形態では、建具１０を上吊り構造とした例を示しているが、この態様に限定されない。例えば、建具１０の下端部に戸車等の転動体を設けた下荷重構造としてもよい。この場合は、上記のようなローラー等を備えたランナー部材１３に代えて、レール部材２１のガイド溝に挿入されてガイドされる片状や軸状（ピン状）の上ガイド部を建具１０の上端に設けた構造としてもよい。
【符号の説明】
【００５３】
１                  建具装置
１０                折戸（建具）
２０                上枠
２１                レール部材
２４                凸片部
３０                上枠部材
３０Ａ              帯状板材
３１                木質系基材
３２                上側部
３３                外側部
３４                内側部
３４ａ              上端
３５                第１折曲溝部（折曲溝部）
３７                第２折曲溝部（折曲溝部）
３８                第３折曲溝部（折曲溝部）
３９                化粧シート
４０                凹溝部
４１                溝底
４２                係合凹部
４３                溝側面（凹溝部の溝幅方向内側面）
【図１】
2014177748.tif 000003
【図２】
2014177748.tif 000004
【図３】
2014177748.tif 000005
【図４】
2014177748.tif 000006